(57)【要約】      （修正有）【課題】ダウエルピンを使用することなく歯科用模型台を製作することができる歯科用模型台の型枠を提供する。【解決手段】枠本体４と、枠本体の片面側に装着される第１枠部材６と、枠本体の他面側に装着される第２枠部材８とを備え、枠本体，第１枠部材及び第２枠部材は、これらの内側に石膏用空間１０を規定し、かかる石膏用空間に石膏が充填されて石膏製模型台が形成される。第１枠部材は、枠本体の片面側に着脱自在に装着されるとともに、第２枠部材は、枠本体の他面側に着脱自在に装着される。【選択図】図５
2017042584.tif 000002
【特許請求の範囲】
【請求項１】
枠本体と、前記枠本体の片面側を覆う第１枠部材と、前記枠本体の他面側を覆う第２枠部材とを備え、前記枠本体、前記第１枠部材及び前記第２枠部材は、石膏が流入される石膏用空間を規定し、前記１枠部材は前記枠本体の前記片面側に着脱自在に装着されるとともに、前記第２枠部材は前記枠本体の前記他面側に着脱自在に装着されることを特徴とする歯科用模型台の型枠体。
【請求項２】
前記枠本体は、略矩形状の本体部と、前記本体部の前記片面側に設けられた片面側壁部と、前記本体部の前記他面側に設けられた他面側壁部と、前記本体部の両端部に設けられた一対の端壁部とを有し、前記第１枠部材は、前記枠本体の前記片面側壁部から前記一対の端壁部の一部に渡って装着され、前記第２枠部材は、前記枠本体の前記他面側壁部から前記一対の端壁部の残部に渡って装着されることを特徴とする請求項１に記載の歯科用模型台の型枠体。
【請求項３】
前記本体部の上面には、長手方向に間隔をおいて配設された複数の小突起から構成される一対の突起列が間隔をおいて設けられ、また前記枠本体の前記片面側壁部の内面には、前記長手方向に間隔をおいて複数の第１小突条が設けられ、前記枠本体の前記他面側壁部の内面には、前記長手方向に間隔をおいて複数の第２小突条が設けられ、前記第１及び第２小突条は上下方向に延びていることを特徴とする請求項２に記載の歯科用模型台の型枠体。
【請求項４】
前記第１枠部材の内面には、前記長手方向に間隔をおいて複数の第３小突条が設けられ、また前記第２枠部材の内面には、前記長手方向に間隔をおいて複数の第４小突条が設けられていること特徴とする請求項３に記載の歯科用模型台の型枠体。
【請求項５】
前記枠本体の前記片面側の表面には第１係合突部が設けられ、前記第１枠部材には、前記第１係合突部に対応して第１係合凹部又は第１係合開口が設けられ、前記枠本体の前記第１係合突部と前記第１枠部材の前記第１係合凹部又は前記第１係合開口とが着脱自在に係合され、また前記枠本体の前記他面側の表面には第２係合突部が設けられ、前記第２枠部材には、前記第２係合突部に対応して第２係合凹部又は第２係合開口が設けられ、前記枠本体の前記第２係合突部と前記第２枠部材の前記第２係合凹部又は前記第２係合開口とが着脱自在に係合されることを特徴とする請求項１又は２に記載の歯科用模型台の型枠体。
【請求項６】
前記枠本体の両端面の片面側部位には、前記第１枠部材の装着部位に対応して第３係合突部が設けられ、前記第１枠部材の両端部には、前記第３係合突部に対応して第３係合凹部又は第３係合開口が設けられ、前記枠本体の前記第３係合突部と前記第１枠部材の前記第３係合凹部又は前記第３係合開口とが着脱自在に係合され、また前記枠本体の前記両端面の他面側部位には、前記第２枠部材の装着部位に対応して第４係合突部が設けられ、前記第２枠部材の両端部には、前記第４係合突部に対応して第４係合凹部又は第４係合開口が設けられ、前記枠本体の前記第４係合突部と前記第２枠部材の前記第４係合凹部又は前記第４係合開口とが着脱自在に係合されることを特徴とする請求項５に記載の歯科用模型台の型枠体。
【請求項７】
前記第１枠部材に関連して、前記枠本体の前記片面側にて前記石膏用空間の一部を覆うカバー枠部材が設けられ、前記カバー枠部材は、前記第１枠部材の外面側に着脱自在に装着されることを特徴とする請求項１〜６のいずれかに記載の歯科用模型台の型枠体。
【請求項８】
前記第１枠部材の外面には凸状係合手段が設けられ、前記カバー部材には凹状係合手段が設けられ、前記凸状係合手段と前記凹状係合手段とが着脱自在に係合されることを特徴とする請求項７に記載の歯科用模型台の型枠体。
【請求項９】
前記第１枠部材の両端部の外面には、前記カバー枠部材の装着方向に延びる案内突部又は案内凹部が設けられ、前記カバー枠部材の両端部の内面には、前記案内突部又は前記案内凹部に対応して被案内凹部又は被案内突部が設けられ、前記カバー枠部材は、前記被案内凹部又は前記被案内突部を前記案内突部又は前記案内凹部に沿って前記装着方向に移動させることにより、前記第１枠部材に着脱自在に装着されることを特徴とする請求項８に記載の歯科用模型台の型枠体。
【請求項１０】
内側側壁部及び前記内側側壁部の両端部に設けられた一対の端壁部を有する枠本体と、前記枠本体の片側面側を覆い、前記内側側壁部の一部と対向する外側側壁部の一部を構成する第１枠部材と、前記枠本体の他側面側を覆い、前記内側側壁部の残部と対向する前記外側側壁部の残部を構成する第２枠部材とを備え、前記枠本体、前記第１枠部材及び前記第２枠部材は、石膏が流入される石膏用空間を規定し、前記１枠部材が前記枠本体の前記片側面側に着脱自在に装着されるとともに、前記第２枠部材が前記枠本体の前記他側面側に着脱自在に装着されることを特徴とする歯科用模型台の型枠体。
【請求項１１】
前記枠本体は、外形が略Ｕ字状の本体部と、前記本体部の外周部に設けられた外側側壁部とを有し、前記内側側壁部は、前記外側側壁部に対向して前記本体部の内側部位に設けられ、前記一対の端壁部は、前記外側側壁部及び前記内側側壁部の両端部を接続するように設けられ、前記第１枠部材は、前記本体部の前記片側面側及び前記一対の端壁部の一方に装着され、前記第２枠部材は、前記本体部の前記他側面側及び前記一対の端壁部の他方に装着されることを特徴とする請求項１０に記載の歯科用模型台の型枠体。
【請求項１２】
前記本体部の上面には、前記外側側壁部及び前記内側側壁部に沿って配設された複数の小突起から構成される一対の突起列が間隔をおいて設けられ、また前記本体部の前記内側側壁部の内面には、間隔をおいて複数の第１小突条が設けられ、前記本体部の前記外側側壁部の内面には、間隔をおいて複数の第２小突条が設けられ、前記第１及び第２小突条は上下方向に延びていることを特徴とする請求項１１に記載の歯科用模型台の型枠体。
【請求項１３】
前記第１枠部材の内面には、間隔をおいて複数の第３小突条が設けられ、また前記第２枠部材の内面には、間隔をおいて複数の第４小突条が設けられていること特徴とする請求項１２に記載の歯科用模型台の型枠体。
【請求項１４】
前記枠本体の前記片側面側の表面には第１係合突部が設けられ、前記第１枠部材には、前記第１係合突部に対応して第１係合凹部又は第１係合開口が設けられ、前記枠本体の前記第１係合突部と前記第１枠部材の前記第１係合凹部又は前記第１係合開口とが着脱自在に係合され、また前記枠本体の前記他側面側の表面には第２係合突部が設けられ、前記第２枠部材には、前記第２係合突部に対応して第２係合凹部又は第２係合開口が設けられ、前記枠本体の前記第２係合突部と前記第２枠部材の前記第２係合凹部又は前記第２係合開口とが着脱自在に係合されることを特徴とする請求項１０又は１１に記載の歯科用模型台の型枠体。
【請求項１５】
前記枠本体の一方の端壁部には、前記第１枠部材の装着部位に対応して第３係合突部が設けられ、前記第１枠部材の端部には、前記第３係合突部に対応して第３係合凹部又は第３係合開口が設けられ、前記枠本体の前記第３係合突部と前記第１枠部材の前記第３係合凹部又は前記第３係合開口とが着脱自在に係合され、また前記枠本体の他方の端壁部には、前記第２枠部材の装着部位に対応して第４係合突部が設けられ、前記第２枠部材の端部には、前記第４係合突部に対応して第４係合凹部又は第４係合開口が設けられ、前記枠本体の前記第４係合突部と前記第２枠部材の前記第４係合凹部又は前記第４係合開口とが着脱自在に係合されることを特徴とする請求項１４に記載の歯科用模型台の型枠体。
【発明の詳細な説明】
【技術分野】
【０００１】
本発明は、歯科治療などにおいて用いられる歯科技工用作業模型を製作するための歯科用模型台の型枠体に関する。
【背景技術】
【０００２】
従来から、歯科治療などにおいては歯科技工用作業模型が用いられ、この作業模型は、歯科用模型台に例えば石膏から形成された歯形模型を固定して形成される。この歯科用模型台の代表的な一例として、ダウエルピンを２列に配設されたものが知られている（例えば、特許文献１参照）。この歯科用模型台では、歯形模型が接着剤などで固定される固定用プレートと、この固定用プレートを支持するための支持基台とを備え、固定用プレートには、複数本のダウエルピンが２列に配設され、また支持基台には、固定用プレート側の複数本のダウエルピンに対応して、複数の挿入孔が２列に設けられ、固定用プレート側の複数本のダウエルピンが支持基台側の対応する挿入孔に挿入される。このような歯科用模型台では、ダウエルピンが２列に配設されているので、支持基台に対して固定用プレートをガタなく装着することができ、支持基台に対する固定用プレートの装着、離脱を繰り返して所望の歯科治療を行うことができる。
【０００３】
また、歯科用模型台の代表的な他の例として、１列に配設された複数本のダウエルピンと１列又は２列に配設された複数の小突起を組み合わせたものが知られている（例えば、特許文献２参照）。この歯科用模型台では、固定用プレートには複数本のダウエルピンが設けられるとともに、複数の小突起に対応した複数の小凹部が１列又は２列設けられ、また支持基台には、複数本のダウエルピンに対応して複数の挿入孔が設けられるとともに、複数の小突起が１列又は２列設けられ、固定用プレート側の複数本のダウエルピンが支持基台側の対応する挿入孔に挿入されるともに、支持基台側の複数の小突起が固定用プレート側の複数の小凹部に挿入される。このような歯科用模型台でも、１列のダウエルピンと１列又は２列の小突起とを組み合わせて用いているので、支持基台に対して固定用プレートをガタなく装着することができ、支持基台に対する固定用プレートの装着、離脱を繰り返して所望の歯科治療を行うことができる。
【先行技術文献】
【特許文献】
【０００４】
【特許文献１】特開２０１１−１５６０６５号公報
【特許文献２】特開２０１２−５５５２１号公報
【発明の概要】
【発明が解決しようとする課題】
【０００５】
しかしながら、上述した歯科用模型台を用いた歯科作業では、治療後に歯形模型が固定された固定用プレートをダウエルピンとともに廃棄しており、従って、廃棄する部材が多くなるとともに、廃棄する部材（特に、ダウエルピン）のコストも高く、特にダウエルピンの使用本数が多いものでは捨てる部材のコストも高くなる問題がある。
【０００６】
本発明の目的は、ダウエルピンを使用することなく歯科用模型台を製作することができる歯科用模型台の型枠体を提供することである。
【課題を解決するための手段】
【０００７】
本発明の請求項１に記載の歯科用模型台の型枠体は、枠本体と、前記枠本体の片面側を覆う第１枠部材と、前記枠本体の他面側を覆う第２枠部材とを備え、前記枠本体、前記第１枠部材及び前記第２枠部材は、石膏が流入される石膏用空間を規定し、前記１枠部材は前記枠本体の前記片面側に着脱自在に装着されるとともに、前記第２枠部材は前記枠本体の前記他面側に着脱自在に装着されることを特徴とする。
【０００８】
また、本発明の請求項２に記載の歯科用模型台の型枠体では、前記枠本体は、略矩形状の本体部と、前記本体部の前記片面側に設けられた片面側壁部と、前記本体部の前記他面側に設けられた他面側壁部と、前記本体部の両端部に設けられた一対の端壁部とを有し、前記第１枠部材は、前記枠本体の前記片面側壁部から前記一対の端壁部の一部に渡って装着され、前記第２枠部材は、前記枠本体の前記他面側壁部から前記一対の端壁部の残部に渡って装着されることを特徴とする。
【０００９】
また、本発明の請求項３に記載の歯科用模型台の型枠体では、前記本体部の上面には、長手方向に間隔をおいて配設された複数の小突起から構成される一対の突起列が間隔をおいて設けられ、また前記枠本体の前記片面側壁部の内面には、前記長手方向に間隔をおいて複数の第１小突条が設けられ、前記枠本体の前記他面側壁部の内面には、前記長手方向に間隔をおいて複数の第２小突条が設けられ、前記第１及び第２小突条は上下方向に延びていることを特徴とする。
【００１０】
また、本発明の請求項４に記載の歯科用模型台の型枠体では、前記第１枠部材の内面には、前記長手方向に間隔をおいて複数の第３小突条が設けられ、また前記第２枠部材の内面には、前記長手方向に間隔をおいて複数の第４小突条が設けられていること特徴とする。
【００１１】
また、本発明の請求項５に記載の歯科用模型台の型枠体では、前記枠本体の前記片面側の表面には第１係合突部が設けられ、前記第１枠部材には、前記第１係合突部に対応して第１係合凹部又は第１係合開口が設けられ、前記枠本体の前記第１係合突部と前記第１枠部材の前記第１係合凹部又は前記第１係合開口とが着脱自在に係合され、また前記枠本体の前記他面側の表面には第２係合突部が設けられ、前記第２枠部材には、前記第２係合突部に対応して第２係合凹部又は第２係合開口が設けられ、前記枠本体の前記第２係合突部と前記第２枠部材の前記第２係合凹部又は前記第２係合開口とが着脱自在に係合されることを特徴とする。
【００１２】
また、本発明の請求項６に記載の歯科用模型台の型枠体では、前記枠本体の両端面の片面側部位には、前記第１枠部材の装着部位に対応して第３係合突部が設けられ、前記第１枠部材の両端部には、前記第３係合突部に対応して第３係合凹部又は第３係合開口が設けられ、前記枠本体の前記第３係合突部と前記第１枠部材の前記第３係合凹部又は前記第３係合開口とが着脱自在に係合され、また前記枠本体の前記両端面の他面側部位には、前記第２枠部材の装着部位に対応して第４係合突部が設けられ、前記第２枠部材の両端部には、前記第４係合突部に対応して第４係合凹部又は第４係合開口が設けられ、前記枠本体の前記第４係合突部と前記第２枠部材の前記第４係合凹部又は前記第４係合開口とが着脱自在に係合されることを特徴とする。
【００１３】
また、本発明の請求項７に記載の歯科用模型台の型枠体では、前記第１枠部材に関連して、前記枠本体の前記片面側にて前記石膏用空間の一部を覆うカバー枠部材が設けられ、前記カバー枠部材は、前記第１枠部材の外面側に着脱自在に装着されることを特徴とする。
【００１４】
また、本発明の請求項８に記載の歯科用模型台の型枠体では、前記第１枠部材の外面には凸状係合手段が設けられ、前記カバー部材には凹状係合手段が設けられ、前記凸状係合手段と前記凹状係合手段とが着脱自在に係合されることを特徴とする。
【００１５】
また、本発明の請求項９に記載の歯科用模型台の型枠体では、前記第１枠部材の両端部の外面には、前記カバー枠部材の装着方向に延びる案内突部又は案内凹部が設けられ、前記カバー枠部材の両端部の内面には、前記案内突部又は前記案内凹部に対応して被案内凹部又は被案内突部が設けられ、前記カバー枠部材は、前記被案内凹部又は前記被案内突部を前記案内突部又は前記案内凹部に沿って前記装着方向に移動させることにより、前記第１枠部材に着脱自在に装着されることを特徴とする。
【００１６】
また、本発明の請求項１０に記載の歯科用模型台の型枠体は、内側側壁部及び前記内側側壁部の両端部に設けられた一対の端壁部を有する枠本体と、前記枠本体の片側面側を覆い、前記内側側壁部の一部と対向する外側側壁部の一部を構成する第１枠部材と、前記枠本体の他側面側を覆い、前記内側側壁部の残部と対向する前記外側側壁部の残部を構成する第２枠部材とを備え、前記枠本体、前記第１枠部材及び前記第２枠部材は、石膏が流入される石膏用空間を規定し、前記１枠部材が前記枠本体の前記片側面側に着脱自在に装着されるとともに、前記第２枠部材が前記枠本体の前記他側面側に着脱自在に装着されることを特徴とする。
【００１７】
また、本発明の請求項１１に記載の歯科用模型台の型枠体では、前記枠本体は、外形が略Ｕ字状の本体部と、前記本体部の外周部に設けられた外側側壁部とを有し、前記内側側壁部は、前記外側側壁部に対向して前記本体部の内側部位に設けられ、前記一対の端壁部は、前記外側側壁部及び前記内側側壁部の両端部を接続するように設けられ、前記第１枠部材は、前記本体部の前記片側面側及び前記一対の端壁部の一方に装着され、前記第２枠部材は、前記本体部の前記他側面側及び前記一対の端壁部の他方に装着されることを特徴とする。
【００１８】
また、本発明の請求項１２に記載の歯科用模型台の型枠体では、前記本体部の上面には、前記外側側壁部及び前記内側側壁部に沿って配設された複数の小突起から構成される一対の突起列が間隔をおいて設けられ、また前記本体部の前記内側側壁部の内面には、間隔をおいて複数の第１小突条が設けられ、前記本体部の前記外側側壁部の内面には、間隔をおいて複数の第２小突条が設けられ、前記第１及び第２小突条は上下方向に延びていることを特徴とする。
【００１９】
また、本発明の請求項１３に記載の歯科用模型台の型枠体では、前記第１枠部材の内面には、間隔をおいて複数の第３小突条が設けられ、また前記第２枠部材の内面には、間隔をおいて複数の第４小突条が設けられていること特徴とする。
【００２０】
また、本発明の請求項１４に記載の歯科用模型台の型枠体では、前記枠本体の前記片側面側の表面には第１係合突部が設けられ、前記第１枠部材には、前記第１係合突部に対応して第１係合凹部又は第１係合開口が設けられ、前記枠本体の前記第１係合突部と前記第１枠部材の前記第１係合凹部又は前記第１係合開口とが着脱自在に係合され、また前記枠本体の前記他側面側の表面には第２係合突部が設けられ、前記第２枠部材には、前記第２係合突部に対応して第２係合凹部又は第２係合開口が設けられ、前記枠本体の前記第２係合突部と前記第２枠部材の前記第２係合凹部又は前記第２係合開口とが着脱自在に係合されることを特徴とする。
【００２１】
更に、本発明の請求項１５に記載の歯科用模型台の型枠体では、前記枠本体の一方の端壁部には、前記第１枠部材の装着部位に対応して第３係合突部が設けられ、前記第１枠部材の端部には、前記第３係合突部に対応して第３係合凹部又は第３係合開口が設けられ、前記枠本体の前記第３係合突部と前記第１枠部材の前記第３係合凹部又は前記第３係合開口とが着脱自在に係合され、また前記枠本体の他方の端壁部には、前記第２枠部材の装着部位に対応して第４係合突部が設けられ、前記第２枠部材の端部には、前記第４係合突部に対応して第４係合凹部又は第４係合開口が設けられ、前記枠本体の前記第４係合突部と前記第２枠部材の前記第４係合凹部又は前記第４係合開口とが着脱自在に係合されることを特徴とする。
【発明の効果】
【００２２】
本発明の請求項１に記載の歯科用模型の型枠体によれば、第１枠部材が枠本体の片面側に着脱自在に装着されるとともに、第２枠部材が枠本体の他面側に着脱自在に装着されるので、枠本体、第１枠部材及び第２枠部材によって石膏用空間が規定され、かかる石膏用空間に石膏を流し込もことにより、部分歯タイプの石膏製模型台を形成することができ、このように形成した模型台に歯科模型が固定される。
【００２３】
この型枠体を用いた歯科用模型では、枠本体に第１及び第２枠部材を装着した状態でも作業することができるが、この枠本体から第１枠部材及び／又は第２枠部材を取り外した状態でも作業をすることができ、作業者の作業性に合った状態で作業を行うことができる。また、ダウエルピンを全く使用してなく、歯科治療後に廃棄するのは石膏製の模型台のみであり、廃棄部材のコストも抑えることができる。
【００２４】
また、本発明の請求項２に記載の歯科用模型台の型枠体によれば、枠本体は、略矩形状の本体部と、この本体部に設けられた片面側壁部、他面側壁部及び一対の端壁部とを有し、第１枠部材が、枠本体の片面側壁部から一対の端壁部の一部に渡って装着され、また第２枠部材が、枠本体の他面側壁部から一対の端壁部の残部に渡って装着されるので、第１及び第２枠部材を枠本体に着脱自在に装着することができ、またこの装着した状態においては、枠本体、第１枠部材及び第２枠部材によって、部分歯タイプの石膏用空間を規定することができる。
【００２５】
また、本発明の請求項３に記載の歯科用模型台の型枠体によれば、本体部の上面に複数の小突起から構成される一対の突起列が間隔をおいて設けられ、また枠本体の片面側壁部の内面に複数の第１小突条が設けられ、この枠本体の他面側壁部の内面に複数の第２小突条が設けられているので、石膏用空間に石膏を流し込んで部分歯タイプの石膏製模型台を形成したときに、枠本体に対する石膏製模型台のガタを抑えることができる。
【００２６】
また、本発明の請求項４に記載の歯科用模型台の型枠体によれば、第１枠部材の内面に複数の第３小突条が設けられ、また第２枠部材の内面に複数の第４小突条が設けられているので、石膏用空間に石膏を流し込んで石膏製模型台を形成したときに、第１及び第２枠部材に対する石膏製模型台のガタを抑えることができる。
【００２７】
また、本発明の請求項５に記載の歯科用模型台の型枠体によれば、枠本体側の第１係合突部と第１枠部材側の第１係合凹部又は第１係合開口とが係合されるので、この枠本体に第１枠部材を着脱自在に装着することができる。また、枠本体側の第２係合突部と第２枠部材側の第２係合凹部又は第２係合開口とが着脱自在に係合されるので、この枠本体に第２枠部材を着脱自在に装着することができる。
【００２８】
また、本発明の請求項６に記載の歯科用模型台の型枠体によれば、枠本体の両端面の片面側部位に第３係合突部が設けられ、第１枠部材の両端部に第３係合凹部又は第３係合開口が設けられているので、枠本体側の第３係合突部と第１枠部材側の第３係合凹部又は第３係合開口とを係合することにより、この第１枠部材を枠本体により確実に着脱自在に装着することができる。また、枠本体の両端面の他面側部位に第４係合突部が設けられ、第２枠部材の両端部に第４係合凹部又は第４係合開口が設けられているので、枠本体側の第４係合突部と第２枠部材側の第４係合凹部又は第４係合開口とを係合することにより、この第２枠部材を枠本体により確実に着脱自在に装着することができる。
【００２９】
また、本発明の請求項７に記載の歯科用模型台の型枠体によれば、石膏用空間の一部を覆うカバー枠部材が設けられ、このカバー枠部材が第１枠部材の外面側に着脱自在に装着されるので、この装着した状態では、カバー枠部材が石膏用空間に収容された石膏製模型台の一部を覆い、型枠体を傾けたり、裏返したりしたとき、また枠枠体を持ち歩いたりしたときに、この石膏製模型体の型枠体から離脱を確実に防止することができる。
【００３０】
また、本発明の請求項８に記載の歯科用模型台の型枠体によれば、第１枠部材の外面に凸状係合手段が設けられ、カバー部材に凹状係合手段が設けられているので、この凸状係合手段と凹状係合手段とを係合することにより、このカバー枠部材を第１枠部材の外側に着脱自在に装着することができる。
【００３１】
また、本発明の請求項９に記載の歯科用模型台の型枠体によれば、第１枠部材の両端部の外面に案内突部又は案内凹部が設けられ、カバー枠部材の両端部の内面に被案内凹部又は被案内突部が設けられているので、第１枠部材側の案内凹部又は案内突部に沿ってカバー枠部材側の被案内突部又は被案内凹部を移動させることにより、このカバー枠部材を第１枠部材に容易に着脱自在に装着することができる。
【００３２】
また、本発明の請求項１０に記載の型枠体によれば、第１枠部材が枠本体の片側面側に着脱自在に装着されるとともに、第２枠部材が枠本体の他側面側に着脱自在に装着されるので、枠本体（内側側壁部、一対の端壁部など）、第１枠部材及び第２枠部材によって石膏用空間が規定され、かかる石膏用空間に石膏を流し込もことにより、全歯タイプの石膏製模型台を形成することができ、このように形成した模型台に歯科模型が固定される。
【００３３】
この型枠体を用いた歯科用模型でも、上述したと同様に、枠本体に第１及び第２枠部材を装着した状態で作業することができるが、この枠本体から第１枠部材及び／又は第２枠部材を取り外した状態でも作業をすることができる。また、ダウエルピンを全く使用してなく、歯科治療後に廃棄するのは石膏製の模型台のみであり、廃棄部材のコストも抑えることができる。
【００３４】
また、本発明の請求項１１に記載の歯科用模型台の型枠体によれば、枠本体は、外形が略Ｕ字状の本体部と、本体部の外周部に設けられた外側側壁部とを有し、一対の端壁部は、外側側壁部及び内側側壁部の両端部を接続するように設けられ、第１枠部材は、枠本体の片側面側及び一対の端壁部の一方に装着され、第２枠部材は、枠本体の他側面側及び一対の端壁部の他方に装着されるので、第１及び第２枠部材を枠本体に着脱自在に装着することができる。また、この装着状態においては、枠本体、第１枠部材及び第２枠部材によって、全歯タイプの石膏用空間を規定することができる。
【００３５】
また、本発明の請求項１２に記載の歯科用模型台の型枠体によれば、本体部の上面に複数の小突起から構成される一対の突起列が設けられ、また枠本体の内側側壁部の内面に複数の第１小突条が設けられ、枠本体の外側側壁部の内面に複数の第２小突条が設けられているので、石膏用空間に石膏を流し込んで全歯タイプの石膏製模型台を形成したときに、枠本体に対する石膏製模型台のガタを抑えることができる。
【００３６】
また、本発明の請求項１３に記載の歯科用模型台の型枠体によれば、第１枠部材の内面に複数の第３小突条が設けられ、また第２枠部材の内面に第４小突条が設けられているので、石膏用空間に石膏を流し込んで石膏製模型台を形成したときに、第１及び第２枠部材に対する石膏製模型台のガタを抑えることができる。
【００３７】
また、本発明の請求項１４に記載の歯科用模型台の型枠体によれば、枠本体側の第１係合突部と第１枠部材側の第１係合凹部又は第１係合開口とが係合されるので、この枠本体に第１枠部材を着脱自在に装着することができる。また、枠本体側の第２係合突部と第２枠部材側の第２係合凹部又は第２係合開口とが係合されるので、この枠本体に第２枠部材を着脱自在に装着することができる。
【００３８】
更に、本発明の請求項１５に記載の歯科用模型台の型枠体によれば、枠本体の一方の端壁部に第３係合突部が設けられ、第１枠部材の端部に第３係合凹部又は第３係合開口が設けられているので、枠本体側の第３係合突部と第１枠部材側の第３係合凹部又は第３係合開口を係合することにより、この第１枠部材を枠本体により確実に着脱自在に装着することができる。また、枠本体の他方の端壁部に第４係合突部が設けられ、第２枠部材の端部に第４係合凹部又は第４係合開口が設けられているので、枠本体側の第４係合突部と第２枠部材側の第４係合凹部又は第４係合開口とを係合させることにより、この第２枠部材を枠本体により確実に着脱自在に装着することができる。
【図面の簡単な説明】
【００３９】
【図１】本発明に従う歯科用模型台の型枠体の第１の実施形態を示す平面図。
【図２】図１の型枠体を示す正面図。
【図３】図１の型枠体を示す背面図。
【図４】図１の型枠体を示す右側面図。
【図５】図１の型枠体を正面側の斜め上方から見た斜視図。
【図６】図１の型枠体における枠本体を示す平面図。
【図７】図６の枠本体を正面側の斜め上方から見た斜視図。
【図８】図６の枠本体を示す正面図。
【図９】図６の枠本体を示す背面図。
【図１０】図１の型枠体における第１枠部材を示す平面図。
【図１１】図１０の第１枠部材を示す背面図。
【図１２】図１０の第１枠部材を背面側の斜め上方から見た斜視図。
【図１３】図１の型枠体における第２枠部材を示す平面図。
【図１４】図１３の第２枠部材を示す正面図。
【図１５】図１３の第２枠部材を背面側の斜め上方から見た斜視図。
【図１６】本発明に従う歯科用模型台の型枠体の第２の実施形態を示す平面図。
【図１７】図１６の型枠体を示す正面図。
【図１８】図１６の型枠体を示す背面図。
【図１９】図１６の型枠体を背面側の斜め上方から見た斜視図。
【図２０】図１６の型枠体における枠本体を示す平面図。
【図２１】図２０の枠本体を背面側の斜め上方から見た斜視図。
【図２２】図２０の枠本体を示す正面図。
【図２３】図２０の枠本体を示す背面図。
【図２４】図２０の枠本体を示す右側面図。
【図２５】図１６の型枠体における第１枠部材を示す平面図。
【図２６】図２５の第１枠部材を示す右側面図。
【図２７】図２５の第１枠部材を正面側の斜め上方から見た斜視図。
【図２８】図１６の型枠体における第２枠部材を示す平面図。
【図２９】図２８の第２枠部材を示す左側面図。
【図３０】図２８の第２枠部材を正面側の斜め上方から見た斜視図。
【図３１】本発明に従う歯科用模型台の型枠体の第３の実施形態を示す斜視図。
【図３２】図３１の型枠体における枠本体を正面側の斜め上方から見た斜視図。
【図３３】図３２の枠本体を背面側の斜め上方から見た斜視図。
【図３４】図３１の型枠体における第１枠部材を正面側の斜め上方から見た斜視図。
【図３５】図３４の第１枠部材を背面側の斜め上方から見た斜視図。
【図３６】図３１の型枠体における第２枠部材を正面側の斜め上方から見た斜視図。
【図３７】図３６の第２枠部材を背面側の斜め上方から見た斜視図。
【図３８】図３１の型枠体におけるカバー枠部材を正面側の斜め上方から見た斜視図。
【図３９】図３８のカバー枠部材を背面側の斜め上方から見た斜視図。
【発明を実施するための形態】
【００４０】
以下、添付図面を参照して、本発明に従う歯科用模型台の型枠体の実施形態について説明する。
【００４１】
〔第１の実施形態〕
まず、図１〜図１５を参照して、歯科用模型台の型枠体の第１の実施形態について説明する。尚、この第１の実施形態では、部分歯タイプの歯科用模型台を製作するのに用いられる。
【００４２】
図１〜図５において、図示の型枠体２は、枠本体４と、この枠本体４の片面側（例えば、前面側）に装着される第１枠部材６と、枠本体４の他面側（例えば、背面側）に装着される第２枠部材８とを備えている。枠本体４、第１枠部材６及び材２枠部材８は、図１及び図５に示すように、それらの内側に石膏用空間１０を規定し、この石膏用空間１０に後述するように石膏が流入され、流入した石膏が固まって歯科用模型台が形成される。
【００４３】
図１〜図５とともに、図６〜図９を参照して枠本体４について説明すると、図示の枠本体４は、略矩形状の本体部１２を有し、この本体部１２の片面側（図１、図５〜図７において下側、図２及び図８において紙面に対して手前側）に片面側壁部１４が設けられ、その他面側（図１、図５〜図７において上側、図３及び図９において紙面に対して手前側）に他面側側壁１６が設けられている。また、この本体部１２の両端部には一対の端壁部１８，２０が設けられ、一方の端壁部１８は、片面側壁部１４及び他面側壁部１６の一端部（図１、図６及び図７において左端部）間を接続し、他方の端壁部１８は、片面側壁部１４及び他面側壁部１６の他端部（図１、図６及び図７において右端部）間を接続し、これら片面側壁部１４、他面側壁部１６及び一対の端壁部１８，２０は、石膏用空間１０の下部を規定している。
【００４４】
枠本体４の本体部１２の上面には、一対の突起列２２，２４が幅方向（図１及び図６において上下方向）に間隔をおいて設けられている。突起例２２，２４は複数の小突起２６から構成され、各小突起２６は、略矩形状でその両端が半円状に形成され、その大きさ（長手方向の長さ）は、例えば２〜５ｍｍ程度に形成され、その幅が１〜１．５ｍｍ程度に形成され、隣接する小突起２６間の間隔は、例えば１〜３ｍｍ程度である。
【００４５】
この枠本体４の片面側壁部１４の内面には、上記長手方向に間隔をおいて複数の第１小突条２８が設けられている。これら第１小突条２８は、片面側壁部１４の下端から上端まで直線状に設けられ、図５〜図７に示すように、下端から上端に向けてテーパ状に先細となるように形成されている。このような第１小突条２８は、断面形状が例えば略半円状又は略三角状に形成される。これら第１小突条２８の幅は、例えば１〜３ｍｍ程度に形成され、隣接する第１小突条２８の間隔は０．５〜２ｍｍ程度である。
【００４６】
また、枠本体４の他側面壁部１６の内面にも、上述した片面側壁部１４と同様に、上記長手方向に間隔をおいて複数の第２小突条３０が設けられている。これら第２小突条３０は、他面側壁部１６の下端から上端まで直線状に設けられ、図６に示すように、下端から上端に向けてテーパ状に先細となるように形成されている。このような第２小突条３０は、断面形状が例えば略半円状又は略三角状に形成される。上述した第１小突条２８と同様に、第２小突条２８の幅も、例えば１〜３ｍｍ程度に形成され、隣接する第２小突条３０の間隔も０．５〜２ｍｍ程度である。
【００４７】
この形態では、図７〜図９に示すように、枠本体４の一対の端壁部１８，２０の高さは、片面側壁部１４及び他面側壁部１６の高さよりも高く形成されており、このことに関連して、枠本体４の片面側（片面側壁部１４の外側）を覆うように第１枠部材６が取り付けられ、その他面側（他面側壁部１６の外側）を覆うように第２枠部材８が取り付けられ、枠本体４に後述する如く装着した状態において、第１枠部材６及び第２枠部材８の高さが枠本体４の一対の端壁部１８，２０の高さより幾分高くなるように構成されている。このような枠本体４は、例えば、合成樹脂の一体成形により形成することができる。
【００４８】
次に、図６及び図８とともに、図１０〜図１２を参照して、第１枠部材６及びそれに関連する構成について説明する。図示の第１枠部材６は全体が細長く、その両端部が他面側に湾曲して背面側に向けて延びている。この第１枠部材６は、図１、図２、図４及び図５に示すように、枠本体４の片側面壁部１４から一対の端壁部１８，２０の一部（具体的には、片面側部位）にわたって着脱自在に装着される。
【００４９】
枠本体４の片面側の表面には、上記長手方向に間隔をおいて複数（具体例では、３つ）の第１係合突部３２が設けられ、各第１係合突部３２は、略矩形状に形成されている。そして、これら第１係合突部３２に対応して、第１枠部材６には、その長手方向に間隔をおいて複数（具体例では、３つ）の第１係合開口３４が設けられ、第１枠部材６側の第１係合開口３４と枠本体４側の第１係合突部３２とが着脱自在に係合される。
【００５０】
また、この枠本体４の一対の端壁部１８，２０における、第１枠部材６が装着される部位（具体的には、上記片面側の部位）には、第３係合突部３６が設けられ、各第３係合突部３６は、他面側に向けてその突出量が漸増している。これら第３係合突部３６に対応して、第１枠部材６の両端部（具体的には、枠本体４の端壁部１８，２０の外側に位置する部位）には、第３係合開口３８が設けられ、第１枠部材６側の第３係合開口３８と枠本体４側の第３係合突部３６とが着脱自在に係合される。
【００５１】
この実施形態では、枠本体４側に複数の第１係合突部３２を設けているが、このような構成に代えて、長手方向に細長い第１係合突部を一つ設けるようにしてもよく（この場合、第１枠部材６側の第１係合開口３８も細長いものとなる）、また第１枠部材６側に第１係合開口３４及び第３係合開口３８設けているが、これらの係合開口３４，３８に代えて、第１係合突部３２及び第３係合突部３６とそれぞれ係合する第１係合凹部及び第３係合凹部を設けるようにしてもよい。
【００５２】
この第１枠部材６の内面（具体的には、枠本体４の片面側壁部１４の外側に位置する部位であって、石膏用空間１０の一部を規定する部位）には、上記長手方向に間隔をおいて複数の第３小突条３９が設けられている。これら第３小突条３９は、図１２に示すように、第１係合開口３４よりも上側部位から上方に直線状に延び、これら第３小突条３９の下端面が枠本体４の片面側壁部１４の上端面に当接するように第１枠部材６が枠本体４の片面側に着脱自在に装着される。
【００５３】
次に、図６及び図８とともに、図１３〜図１５を参照して、第２枠部材８及びそれに関連する構成について説明する。図示の第２枠部材８は全体が細長く、その両端部が片面側に湾曲して前面側に向けて延びている。この第２枠部材８は、図１、図３、図４及び図５に示すように、枠本体４の他側面壁部１６から一対の端壁部１８，２０の残部（具体的には、他面側部位）にわたって着脱自在に装着される。
【００５４】
枠本体４の他面側の表面には、上記長手方向に間隔をおいて複数（具体例では、３つ）の第２係合突部４０が設けられ、各第２係合突部３２は、第１係合突部３２と同様に、略矩形状に形成されている。これら第２係合突部４０に対応して、第２枠部材８には、その長手方向に間隔をおいて複数（具体例では、３つ）の第２係合開口４２が設けられ、第２枠部材８側の第２係合開口４２と枠本体４側の第２係合突部４０とが着脱自在に係合される。
【００５５】
また、この枠本体４の一対の端壁部１８，２０における、第２枠部材８が装着される部位（具体的には、上記他面側の部位）には、第４係合突部４４が設けられ、各第４係合突部４４は、片面側に向けてその突出量が漸増している。これら第４係合突部４４に対応して、第２枠部材８の両端部（具体的には、枠本体４の端壁部１８，２０の外側に位置する部位）には、第４係合開口４６が設けられ、第２枠部材８側の第４係合開口４６と枠本体４側の第４係合突部４４とが着脱自在に係合される。
【００５６】
尚、第１係合突部３２と同様に、第２係合突部についても細長いものを一つ設けるようにしてもよく（この場合、第２枠部材８側の第２係合開口４６も細長いものとなる）、また第２係合開口４２及び第４係合開口４６に代えて、第２係合突部４０及び第４係合突部４４とそれぞれ係合する第２係合凹部及び第４係合凹部を設けるようにしてもよい。
【００５７】
この第２枠部材８の内面（具体的には、枠本体４の他面側壁部１６の外側に位置する部位であって、石膏用空間１０の一部を規定する部位）には、第１枠部材６と同様に、上記長手方向に間隔をおいて複数の第４小突条４８が設けられている。これら第４小突条４８は、図１４に示すように、第２係合開口４２よりも上側部位から上方に直線状に延び、これら第４小突条４８の下端面が枠本体４の他面側壁部１６の上端面に当接するように第２枠部材８が枠本体４の他面側に着脱自在に装着される。
【００５８】
第１及び第２枠部材６，８の第３及び第４小突条３９，４８は、枠本体４の第１及び第２小突条２８，３０と同様の構成でよく、下端から上端に向けてテーパ状に先細となるように形成され、これらの小突条３９，４８の幅は、例えば１〜３ｍｍ程度に形成され、隣接するこれら小突条３９，４８の間隔は０．５〜２ｍｍ程度である。尚、複数の第３小突条３９のピッチ間隔は、複数の第１小突条２８のピッチ間隔と等しい、或いはこれよりも少し大きい又は小さい程度に設定され、また第４小突条４８のピッチ間隔は、複数の第２小突条３０のピッチ間隔と等しい、或いはこれよりも少し大きい又は小さい程度に設定される。第１及び第２枠部材６，８は、例えば、合成樹脂の一体成形により形成することができる。
【００５９】
これら第１及び第２枠部材６，８は、枠本体４に取り付けられることに関連して、更に、次の通りに構成されている。即ち、第１枠部材６の両端部には両側に突出する第１操作突部５２，５４が設けられ、これら第１操作突部５２，５４に指を掛けて外側（片面側外方）に動かすことにより、第１枠部材６を弾性変形させて枠本体４から取り外すことができる。また、第２枠部材８の両端部にも両側に突出する第２操作突部５６，５８が設けられ、これら第２操作突部５６，５８に指を掛けて外側（他面側外方）に動かすことにより、第２枠部材８を弾性変形させて枠本体４から取り外すことができる。
【００６０】
この形態では、図１に示すように、第１枠部材６の第１操作突部５２，５４は、第２枠部材８の第２操作突部５６，５８よりも外側に大きく突出しており、従って、第１及び第２枠部材６，８を外すときには、第１操作突部５２，５４を操作して第１枠部材６を枠本体４から取り外し、その後第２操作突部５６，５８を操作して第２枠部材８を取り外すようになる。尚、これとは反対に、第２枠部材８の第２操作突部５６，５８を第１枠部材６の第１操作突部５２，５４よりも外側に大きく突出させ、第１及び第２枠部材６，８を外すときには、第２操作突部５６，５８を操作して第２枠部材８を枠本体４から取り外し、その後第１操作突部５２，５４を操作して第１枠部材６を取り外すようにしてもよい。
【００６１】
また、枠本体４に第１及び第２枠部材６，８を装着した状態では、図１、図４及び図５に示すように、第１枠部材６の両端面と第２枠部材８の両端面とが当接するとともに、第１枠部材６の一対の第１操作突部５２，５４と第２枠部材８の一対の第２操作突部５６，５８とが当接するように構成されている。
【００６２】
また、この形態では、第１枠部材６の両端部の内面側には収容凹部６０が設けられ、第２枠部材８の両端部の内面側には、第１枠部材６に向けて突出する突出部６２が設けられ、第１及び第２枠部材６，８を枠本体４に装着した状態では、第１枠部材８側の一対の突出部６２が第１枠部材６側の一対の収容凹部６０に収容されるようになり、従って、第１及び第２枠部材６，８を装着するときには、まず第２枠部材８を枠本体４に装着し、かく装着した第２枠部材８の一対の突出部６２を覆うように第１枠部材６を装着するようになる。
【００６３】
この型枠体２を組み立てる場合、枠本体４の他面側に第２枠部材８を着脱自在に装着し、その後、枠本体４の片面側に第１枠部材６を着脱自在に装着する。かくすると、図１〜図５に示す状態となり、枠本体４（本体部１２、片面側壁部１４、他面側壁部１６及び一対の端壁部１８，２０）、第１枠部材６及び第２枠部材８の内側に石膏用空間１０が規定される。
【００６４】
作業模型を製作する場合、型枠体２の石膏用空間１０に石膏を流し込み、流し込んだ石膏の上に歯科模型を載置し、石膏が固まることにより石膏の模型台に歯科模型が固定され、このようにして作業模型が製作される。製作された作業模型は、所望の通りに複数に切断され、切断された作業模型の一部を型枠体２の石膏用空間１０から出し入れして歯科治療が行われる。
【００６５】
〔第２の実施形態〕
次に、図１６〜図３０を参照して、歯科用模型台の型枠体の第２の実施形態について説明する。尚、この第２の実施形態の片枠体は、全歯タイプの歯科用模型台を製作するのに用いられる。
【００６６】
図１６〜図１９において、図示の型枠体１０２は、枠本体１０４と、この枠本体１０４の片側面側（例えば、図１６において左側面側）に装着される第１枠部材１０６（外側側壁部の一部を構成する）と、枠本体１０４の他側面側（例えば、図１６において右側面側）に装着される第２枠部材１０８（外側側壁部の残部を構成する）とを備えている。この形態では、枠本体１０４は、略半楕円状の本体部１１０と、第１及び第２枠部材１０６，１０８に対向して本体部１１０の内側に設けられた内側側壁部１１２と、内側側壁部１１２の両端部から両側に延びる一対の端壁部１１４，１１６とを有し、枠本体１０４、第１枠部材１０６及び材２枠部材１０８は、図１６及び図１９に示すように、それらの内側に略Ｕ字状の石膏用空間１１０を規定し、この石膏用空間１１０に後述するように石膏が流入され、流入した石膏が固まって歯科用模型台が形成される。
【００６７】
図１６〜図１９とともに、図２０〜図２４を参照して枠本体１０４について更に説明すると、図示の枠本体１０４は、枠本体１０４の内側の内側側壁部１１２に対向して設けられた外側側壁部１２０を有し、一対の端壁部１１４，１１６は、内側側壁部１１２及び外側側壁部１２０の両端部間に設けられ、一方の端壁部１１４は、内側側壁部１１４及び外側側壁部１２０の一端部（図１６、図１９及び図２１において左側端部）間を接続し、他方の端壁部１１６は、内側側壁部１１４及び外側側壁部１２０の他端部（図１６、図１９及び図２１において右側端部）間を接続し、これら内側側壁部１１４、外側側壁部１２０及び一対の端壁部１１４，１１６は、石膏用空間１１０の下部を規定している。
【００６８】
枠本体１０４の本体部１１０の上面には、外側側壁部１２０と内側側壁部１１２との間にこれらに沿って一対の突起列１２２，１２４が設けられている。突起例１２２，１２４は複数の小突起１２６から構成され、各小突起１２６は、上述した第１の実施形態の小突起２６と同様の構成でよい。
【００６９】
この枠本体１０４の内側側壁部１１２の内面には、それに沿って間隔をおいて複数の第１小突条１２８が設けられている。これら第１小突条１２８は、内側側壁部１１２の下端から上端まで直線状に設けられ、図１９〜図２１に示すように、下端から上端に向けてテーパ状に先細となるように形成されている。このような第１小突条１２８は、上述した第１の実施形態の第１小突条２８と同様の構成でよい。
【００７０】
また、枠本体４の外側側壁部１２０の内面にも、上述した内側側壁部１１２と同様に、それに沿って間隔をおいて複数の第２小突条１３０が設けられている。これら第２小突条１３０は、外側側壁部１２０の下端から上端まで直線状に設けられ、図２１に示すように、下端から上端に向けてテーパ状に先細となるように形成されている。このような第２小突条１３０も、上述した第１の実施形態における第２小突条３０と同様の構成でよい。
【００７１】
この形態では、図２１に示すように、枠本体１０４の内側側壁部１１２及び一対の端壁部１１４，１１６の高さは、外側側壁部１２０の高さよりも高く形成されており、このことに関連して、枠本体１０４の片側面側（外側側壁部１２０の図１６及び図２０において左側部位の外側）に第１枠部材１０６が取り付けられ、その他側面側（外側側壁部１２０の図１６及び図２０において右側部位の外側）に第２枠部材１０８が取り付けられ、枠本体１０４に後述する如く装着した状態において、第１枠部材１０６及び第２枠部材１０８の高さは、枠本体１０４の内側側壁部１１２及び一対の端壁部１１４，１１６と実質上同じ高さとなるように構成されている。このような枠本体１０４、第１枠部材１０６及び第２枠部材１０８は、例えば、合成樹脂の一体成形により形成することができる。
【００７２】
次に、図６及び図８とともに、図１０〜図１２を参照して、第１枠部材１０６及びそれに関連する構成について説明する。図示の第１枠部材１０６は全体が略放物線状に延び、その一端部（枠本体１０４の一方の端壁部１１４に装着される部位）が内側側壁部１１２側に向けて湾曲して延びている。この第１枠部材１０６は、図１６〜図１９に示すように、枠本体１０４の片側面側から一方の端壁部１１４の一部（具体的には、片側面側の端部）にわたって着脱自在に装着され、枠本体１０４の片側面側を覆って石膏用空間１１０の一部を規定する。
【００７３】
枠本体１０４の片側面側の表面には、それに沿って間隔をおいて複数（具体例では、３つ）の第１係合突部１３２が設けられ、２つの第１係合突部１３２は、略矩形状に形成され、残りの１つの第１係合突部１３２ａ（図２０において上端側のもの）は、他側面側に向けて突出量が漸増している。これら第１係合突部１３２（１３２ａ）に対応して、第１枠部材１０６には、それに沿って間隔をおいて複数（具体例では、３つ）の第１係合開口１３４が設けられ、第１枠部材１０６側の第１係合開口１３４と枠本体１０４側の第１係合突部１３２（１３２ａ）とが着脱自在に係合される。
【００７４】
また、この枠本体１０４の一方の端壁部１１４の端部（即ち、第１枠部材１０６が装着される部位）には、第３係合突部１３６が設けられ、第３係合突部１３６は、略矩形状に形成されている。この第３係合突部１３６に対応して、第１枠部材１０６の端部（具体的には、枠本体１０４の端壁部１１４の外側に位置する部位）には、第３係合開口１３８が設けられ、第１枠部材１０６側の第３係合開口１３８と枠本体１０４側の第３係合突部１３６とが着脱自在に係合される。
【００７５】
この実施形態では、枠本体１０４側に複数の第１係合突部１３２を設けているが、このような構成に代えて、細長い第１係合突部を一つ設けるようにしてもよく（この場合、第１枠部材１０６側の第１係合開口１３８も細長いものとなる）、また第１枠部材１０６側に第１係合開口１３４及び第３係合開口１３８設けているが、これらの係合開口に代えて、第１係合突部１３２及び第３係合突部１３６とそれぞれ係合する第１係合凹部及び第３係合凹部を設けるようにしてもよい。
【００７６】
この第１枠部材１０６の内面（具体的には、枠本体１０４の片側面側の外側側壁部１２０の外側に位置する部位であって、石膏用空間１１０の一部を規定する部位）には、その内面に沿って間隔をおいて複数の第３小突条１３９が設けられている。これら第３小突条１３９は、図２７に示すように、第１係合開口１３４よりも上側部位から上方に直線状に延び、これら第３小突条１３９の下端面が枠本体１０４の外側側壁部１２０の上端面に当接するように第１枠部材１０６が枠本体１０４の片側面側に着脱自在に装着される。
【００７７】
次に、図２０及び図２１とともに、図２８〜図３０を参照して、第２枠部材１０８及びそれに関連する構成について説明する。図示の第２枠部材１０８は全体が略放物線状に延び、その一端部（枠本体１０４の他方の端壁部１１６に装着される部位）が内側側壁部１１２側に向けて湾曲して延びている。この第２枠部材１０８は、図１６〜図１９に示すように、枠本体１０４の他側面側から他方の端壁部１１６の一部（具体的には、他側面側の端部）にわたって着脱自在に装着され、この枠本体１０４の他側面側を覆って石膏用空間１１０の一部を規定する。
【００７８】
枠本体１０４の他側面側の表面には、それに沿って間隔をおいて複数（具体例では、３つ）の第２係合突部１４０が設けられ、２つの第２係合突部１４０は、略矩形状に形成され、残りの１つの第２係合突部１４０ａ（図２０において上端側のもの）は、片側面側に向けて突出量が漸増している。これら第２係合突部１４０（１４０ａ）に対応して、第２枠部材１０８には、それに沿って間隔をおいて複数（具体例では、３つ）の第２係合開口１４２が設けられ、第２枠部材１０８側の第２係合開口１４２と枠本体１０４側の第２係合突部１４０（１４０ａ）とが着脱自在に係合される。
【００７９】
また、この枠本体１０４の他方の端壁部１１６の端部（即ち、第２枠部材１０８が装着される部位）には、第４係合突部１４４が設けられ、第４係合突部１４４は、略矩形状に形成されている。この第４係合突部１４４に対応して、第２枠部材１０８の端部（具体的には、枠本体１０４の端壁部１１６の外側に位置する部位）には、第４係合開口１４６（図１７参照）が設けられ、第２枠部材１０８側の第４係合開口１４６と枠本体１０４側の第４係合突部１４４とが着脱自在に係合される。
【００８０】
尚、第１係合突部１３２と同様に、第２係合突部についても細長いものを一つ設けるようにしてもよく（この場合、第２枠部材１０８側の第２係合開口１４２も細長いものとなる）、また第２係合開口１４２及び第４係合開口１４６に代えて、第２係合突部１４０及び第４係合突部１４４にそれぞれ係合する第２係合凹部及び第４係合凹部を設けるようにしてもよい。
【００８１】
この第２枠部材１０８の内面（具体的には、枠本体１０４の他側面側の外側側壁部１２０の外側に位置する部位であって、石膏用空間１１０の一部を規定する部位）には、その内面に沿って間隔をおいて複数の第４小突条１４８が設けられている。これら第４小突条１４８は、図２９に示すように、第２係合開口１４２よりも上側部位から上方に直線状に延び、これら第４小突条１４８の下端面が枠本体１０４の外側側壁部１２０の上端面に当接するように第２枠部材１０８が枠本体１０４の他側面側に着脱自在に装着される。
【００８２】
第１及び第２枠部材１０６，１０８の第３及び第４小突条１３９，１４８は、上述した第１の実施形態における第３及び第４小突条３９，４８と同様の構成でよく、下端から上端に向けてテーパ状に先細となるように形成される。
【００８３】
これら第１及び第２枠部材１０６，１０８は、枠本体１０４に取り付けられることに関連して、更に、次の通りに構成されている。即ち、第１枠部材１０６の両端部には、上述した第１の実施形態と略同様に、外側に突出する第１操作突部１５２，１５４が設けられ、これら第１操作突部１５２，１５４に指を掛けて外側（片面側外方）に弾性変形させて動かすことにより、第１枠部材１０６を枠本体１０４から取り外すことができる。また、第２枠部材１０８の両端部にも両側に突出する第２操作突部１５６，１５８が設けられ、これら第２操作突部１５６，１５８に指を掛けて外側（他面側外方）に弾性変形させて動かすことにより、第２枠部材１０８を枠本体１０４から取り外すことができる。
【００８４】
この形態では、図１６に示すように、第１枠部材１０６の第１操作突部１５２，１５４は、第２枠部材１０８の第２操作突部１５６，１５８よりも外側に大きく突出しており、従って、第１及び第２枠部材１０６，１０８を外すときには、まず第１操作突部１５２，１５４を操作して第１枠部材１０６を枠本体１０４から取り外し、その後第２操作突部１５６，１５８を操作して第２枠部材１０８を取り外すようになる。尚、これとは反対に、第２枠部材１０８の第２操作突部１５６，１５８を第１枠部材１０６の第１操作突部１５２，１５４よりも外側に大きく突出させ、第１及び第２枠部材１０６，１０８を外すときには、まず第２操作突部１５６，１５８を操作して第２枠部材１０８を枠本体１０４から取り外し、その後第１操作突部１５２，１５４を操作して第１枠部材１０６を取り外すようにしてもよい。
【００８５】
〔第３の実施形態〕
次に、図３１〜図３９を参照して、本発明に従う歯科用模型台の型枠体の第３の実施形態について説明する。この第３の実施形態の型枠体は、部分歯タイプの歯科用模型台を製作するのに用いられ、その基本的構成は、上述した第１の実施形態のものと実質上同一であり、次に、第１の実施形態と異なる部分の構成について説明する。
【００８６】
図３１〜図３３において、この第３の実施形態の型枠体２０２は、枠本体２０４と、この枠本体２０４の片面側（例えば、前面側）に装着される第１枠部材２０６（図３４及び図３５も参照）と、枠本体２０４の他面側（例えば、背面側）に装着される第２枠部材２０８とを備えている。枠本体２０４、第１枠部材２０６及び材２枠部材２０８は、第１及び第２の実施形態と同様に、それらの内側に石膏用空間２１０を規定し、この石膏用空間２１０に後述するように石膏が流入され、流入した石膏が固まって歯科用模型台が形成される。この第３の実施形態の枠本体２０４，第１枠部材２０６及び第２枠部材２０８の基本的構成は、上述した第１の実施形態の枠本体４、第１枠部材６及び第２枠部材８と実質上同一である。
【００８７】
この第３の実施形態においては、枠本体２０４（具体的には、その片面側壁部２１４）と第１の枠部材２０８との間に、またこの枠本体２０４（具体的には、その他面側壁部２１６）と第２枠部材２０８との間に、石膏用空間２１０に充填される石膏が流入しないように、次のように構成されている。
【００８８】
図３２及び図３３とともに図３５及び図３６を参照して、この形態では、枠本体２０４の片面側（本体部２１２又は片面側壁部２１４）の外面には、上下方向中間部に前側段部２１５が設けられ、この前側段部２１５は、枠本体２０４の長手方向に延びており、この枠本体２０４の片面側において下部２１５ａが上部２１５ｂよりも幾分外側に突出している。この構成に対応して、第１枠部材２０６の内面には、上下方向中間部に第１段部２１７が設けられ、この第１段部２１７は第１枠部材２０６の長手方向に延びており、この第１枠部材２０６の上部２１７ｂが下部２１７ａよりも内側に幾分突出している。このように構成されているので、枠本体２０４の片面側に第１枠部材２０６を上述したように着脱自在に装着すると、枠本体２０４の凸状下部２１５ａが第１枠部材２０６の凹状下部２１７ａに嵌り込み、これにより、枠本体２０４の片面側壁部２１４と第１枠部材２０８との間の隙間を小さくし、石膏の流入を抑えることができる。
【００８９】
また、枠本体２０４の他面側（本体部２１２又は他面側壁部２１６）の外面には、上下方向中間部に後側段部２２１が設けられ、この後側段部２２１は、枠本体２０４の長手方向に延びており、この枠本体２０４の他面側において下部２２１ａが上部２２１ｂよりも幾分外側に突出している。この構成に対応して、第２枠部材２０８の内面には、上下方向中間部に第２段部２２３が設けられ、この第２段部２２３は第２枠部材２０８の長手方向に延びており、この第２枠部材２０８の上部２２３ｂが下部２２３ａよりも内側に幾分突出している。このように構成されているので、枠本体２０４の他面側に第２枠部材２０８を上述したように着脱自在に装着すると、枠本体２０４の凸状下部２２１ａが第２枠部材２０８の凹状下部２２３ａに嵌り込み、これにより、枠本体２０４の他面側壁部２１６と第２枠部材２０８との間の隙間を小さくし、石膏の流入を抑えることができる。
【００９０】
この実施形態では、枠本体２０４の片面側の外面に第１係合突部２３２が設けられ、この第１係合突部２３２が長手方向に延びている。また、第１枠部材２０６の内面に、この第１係合突部２３２に対応して第１係合凹部２３４が設けられ、枠本体２０４の片面側に第１枠部材２０６を装着すると、枠本体２０４側の第１係合突部２３２と第１枠部材２０６側の第１係合凹部２３４とが着脱自在に係合される。
【００９１】
この形態では、枠本体２０４の片面側においては、第１係合突部２３２の配設部位に前側段部２１５が設けられ、この前側段部２１５に沿って第１係合突部２３２が延びており、また第１枠部材２０６においては、第１係合凹部２３４の配設部位に第１段部２１７が設けられ、この第１段部２１７に沿って第１係合凹部２３４が延びている。枠本体２０４側の前側段部２１５及び第１枠部材２０６側の第１段部２１７は、第１係合突部２３２及び第１係合凹部２３４よりも上側又は下側に設けるようにしてもよい。
【００９２】
また、枠本体２０４の他面側の外面に第２係合突部２４０が設けられ、この第２係合突部２４０が長手方向に延びている。また、第２枠部材２０８の内面に、この第２係合突部２４０に対応して第２係合凹部２４２が設けられ、枠本体２０４の片面側に第２枠部材２０８を装着すると、枠本体２０４側の第２係合突部２４０と第２枠部材２０８側の第２係合凹部２４２とが着脱自在に係合される。
【００９３】
枠本体２０４の他面側においては、第２係合突部２４０の配設部位に後側段部２２１が設けられ、この後側段部２２１に沿って第２係合突部２４０が延びており、また第２枠部材２０８においては、第２係合凹部２４２の配設部位に第２段部２２３が設けられ、この第２段部２２３に沿って第２係合凹部２４２が延びている。枠本体２０４側の後側段部２２１及び第２枠部材２０８側の第２段部２２３は、第２係合突部２４０及び第２係合凹部２４２よりも上側又は下側に設けるようにしてもよい。
【００９４】
この形態では、枠本体２０４に対する第１枠部材２０４（又は第２枠部材２０８）の装着を容易にするために、更に、次のように構成されている。枠部材２０４の両端面には装着用案内突条２３５，２３７が設けられ、これら装着用案内突条２３５，２３７は、装着方向（即ち、前後方向）に延びている。また、第１枠部材２０４（又は第２枠部材２０６）の両端部、即ち枠本体２０４の端壁部２１８，２２０に装着される部位には、装着用案内突条２３５，２３７に対応して、第１装着用案内溝２４１（又は第２装着用案内溝２４３）が設けられている。
【００９５】
また、枠本体２０４の両端壁部の２１８，２２０の外面には第３係合突部２３６（又は第４係合突部２４４）が設けられ、この第３係合突部２３６に対応して、第１枠部材２０６（又は第２枠部材２０８）の両端部、即ち一対の端壁部２１８，２２０に装着される部位の内面に、第１補助装着用案内溝２４５（第２補助装着用案内溝２４７）及び第３係合開口２３８（又は第４係合開口２４６）が設けられている。尚、第１装着用案内溝２４１及び第１補助装着用案内溝２４３については、図３５において一方のみ示し、また第２装着用案内溝２４１及び第２補助装着用案内溝２４７については、図３６において一方のみ示す。
【００９６】
このように構成されているので、第１枠部材２０６（又は第２枠部材２０８）を装着するときには、第１枠部材２０４（又は第２枠部材２０８）の第１装着用案内溝２４１（第２装着用案内溝２４３）と枠本体２０４の装着用案内突部２３５とを整合させるとともに、枠本体２０６の第３係合突部２３６（又は第４係合突部２４４）と第１枠部材２０６の第１補助案内溝２４５（又は第２補助案内溝２４７）とを整合させ、この状態でもって、第１枠部材２０６（又は第２枠部材２０８）を装着方向に移動させればよい。かくすると、枠本体２０４側の装着用案内突部２３５が第１枠部材２０６（又は第２枠部材２０８）の第１装着用案内溝２４１（又は第２装着用案内溝２４３）内を移動するとともに、枠本体２０４側の第３係合突部２３６（又は第４係合突部２４４）が第１補助案内溝２４５（又は第２補助案内溝２４７）内を移動した後第３係合開口２３８（又は第４係合開口２４６）に係合し、このようにして第１枠部材２０６（又は第２枠部材２０８）を枠本体２０４にスムースに装着することができる。
【００９７】
尚、この実施形態においても、第１の実施形態と同様に、枠本体２０４の本体部２１２の上面に一対の突起列２２２，２２４が設けられ、各突起列２２２，２２４は、複数の小突起２２６から構成されている。また、枠本体２０４の片面側壁部２１４の内面には複数の第１小突条２２８が設けられ、その他面側壁部２１６の内面には複数の第２小突条２３０が設けられている。更に、第１枠部材２０６の内面には複数の第３小突条２３９が設けられ、第２枠部材２０８の内面には第４小突条２４８が設けられている。
【００９８】
この実施形態においては、図３１に示すように、更に、第１枠部材２０４に関連して、石膏製の模型台（図示せず）落下などによる離脱を防止するためのカバー枠部材２７２が設けられている。図示のカバー枠部材２７２は、第１枠部材２０４と類似する外形を有し、この第１枠部材２０４の外側に着脱自在に装着される。
【００９９】
図３４、図３５、図３８及び図３９を参照して、カバー枠部材２７２は略に細長く、その両端部（第１枠部材２０４の両端部に装着される部位）は、第２枠部材２０８に向けて湾曲して延びている。上述の第１枠部材２０６の中間部外面には、長手方向に延びる第５係合突部２７４が設けられ、この第５係合突部２７４に対応して、カバー枠部材２７２の中間部の内面には、第５係合凹部２７６が設けられている。このように構成されているので、第１枠部材２０６の外側にカバー枠部材２７２を装着すると、第１枠部材２０６側の第５係合突部２７４とカバ−枠部材２７２側の第５係合凹部２７６とが着脱自在に係合される。
【０１００】
また、カバー枠部材２７２に装着状態をより確実にするために、更に、第１枠部材２０６の両端部外面に略半球状の第６係合突部２７８が設けられ、これら第６係合突部２７８に対応して、カバー枠部材２７２の両端部に第６係合開口２８０が設けられている。このように構成されているので、第１枠部材２０６にカバー枠部材２０６を装着すると、第１枠部材２０６側の第６係合突部２７８とカバー枠部材２７２側の第６係合開口２８０とが着脱自在に係合される。尚、第５係合凹部２７６については、第５係合開口から構成するようにしてもよく、また第６係合開口２８０については、第６係合凹部から構成するようにしてもよい。
【０１０１】
このカバー枠部材２７２の長手方向中間部（即ち、湾曲して第２枠部材２０８側に延びる両端部を除く中間部位）に、内側に向けて突出する抑え部２８２が設けられている。この抑え部２８２は、第１枠部材２０６に装着された状態において石膏用空間２１０の長手方向の一端から他端までのほぼ全長にわたって延び、この石膏用空間２１０の上面の片面側（即ち、第１枠部材２０４側）を覆い、石膏用空間２１０内に石膏製模型台（図示せず）が収容されているときには、収容された石膏製模型台の上端面を覆い、石膏用空間２１０からの石膏製模型台の離脱を防止する。
【０１０２】
この形態では、カバー枠部材２７２の第１枠部材２０６への装着を容易にするために、第１枠部材２０６の両端部の外面に取付用案内突条２８４が設けられている。取付用案内突条２８４は、第３係合開口２３８と第５係合突部２７８との間に配置され、カバー枠部材２７２の取付方向に延びている。また、カバー枠部材２７２の両端部の内面には、かかる取付用案内突条２８４に対応して、取付用案内溝２８６が設けられ、その取付けの際に、第１枠部材２０６側の取付用案内突条２８４がカバー枠部材２７２側の取付案内溝２８６に沿って移動される。
【０１０３】
この形態では、第１枠部材１０６の高さは第２枠部材２０８の高さよりも幾分低く、このように構成することによって、枠本体２０４の片面側に第１枠部材２０６及びカバー枠部材２７２を装着するとともにその他面側に第２枠部材２０８を装着した状態のときに、図３１に示すように、カバー枠部材２７２の上端面（その両端部及び抑え部２８２の上面）と第２枠部材２０８の上端面とが同一面を規定するようになる。
【０１０４】
この実施形態では、カバー枠部材２７２の両端部（具体的には、第２枠部材２０８側に湾曲する両端部の先端）にカバー操作突部２９０，２９２が設けられ、これらカバー操作突部２９０，２９２を外側に弾性変形させて動かすことによって、第１枠部材２０６からカバー枠部材２７２を取り外すことができる。
【０１０５】
このカバー枠部材２７２の取付け、取外しが容易に行えるように、更に、次のように構成されている。第１枠部材２０６に設けられた第１操作突部２５２，２５４と、第２枠部材２０８に設けられた第２操作突部２５６，２５８とは、図３１に示すように、相互に対向して型枠体２０２の上部に位置するように構成され、また、カバー枠部材２７２のカバー操作突部２９０，２９２は、型枠体２０２の下部に位置するように構成されている。このように構成することにより、第１及び第２操作突部２５２〜２５８に邪魔されることなくカバー操作突部２９０，２９２の取外し操作を行うことができる。尚、上述とは反対に、カバー操作突部２９０，２９２を型枠体２０２の上部に位置するように、また第１及び第２操作突部２５２〜２５８を型枠体２０２の下部に位置するように構成するようにしてもよい。
【０１０６】
以上、本発明に従う歯科用模型台の型枠体の実施形態について説明したが、本発明はかかる実施形態に限定されるものではなく、本発明の範囲を逸脱することなく種々の変更乃至修正が可能である。
【符号の説明】
【０１０７】
２、１０２，２０２  型枠体
４，１０４，２０４  枠本体
６，１０６，２０６  第１枠部材
８，１０８，２０８  第２枠部材
１０、１１０，２１０  石膏用空間
１２，１１２，２１２  本体部
２２，２４，１２２，１２４，２２２，２２４  突起列
２６，１２６，２２６  小突起
２８，１２８，２２８  第１小突条
３０，１３０，２３０  第２小突条
３９，１３９，２３９  第３小突条
４８，１４８，２４８  第４小突条
２７２  カバー枠部材
２８２  抑え部
【図１】
2017042584.tif 000003
【図２】
2017042584.tif 000004
【図３】
2017042584.tif 000005
【図４】
2017042584.tif 000006
【図５】
2017042584.tif 000007
【図６】
2017042584.tif 000008
【図７】
2017042584.tif 000009
【図８】
2017042584.tif 000010
【図９】
2017042584.tif 000011
【図１０】
2017042584.tif 000012
【図１１】
2017042584.tif 000013
【図１２】
2017042584.tif 000014
【図１３】
2017042584.tif 000015
【図１４】
2017042584.tif 000016
【図１５】
2017042584.tif 000017
【図１６】
2017042584.tif 000018
【図１７】
2017042584.tif 000019
【図１８】
2017042584.tif 000020
【図１９】
2017042584.tif 000021
【図２０】
2017042584.tif 000022
【図２１】
2017042584.tif 000023
【図２２】
2017042584.tif 000024
【図２３】
2017042584.tif 000025
【図２４】
2017042584.tif 000026
【図２５】
2017042584.tif 000027
【図２６】
2017042584.tif 000028
【図２７】
2017042584.tif 000029
【図２８】
2017042584.tif 000030
【図２９】
2017042584.tif 000031
【図３０】
2017042584.tif 000032
【図３１】
2017042584.tif 000033
【図３２】
2017042584.tif 000034
【図３３】
2017042584.tif 000035
【図３４】
2017042584.tif 000036
【図３５】
2017042584.tif 000037
【図３６】
2017042584.tif 000038
【図３７】
2017042584.tif 000039
【図３８】
2017042584.tif 000040
【図３９】
2017042584.tif 000041